(57)【要約】【課題】ユーザが複数の画像形成部の入れ替えを行うことなく、色付きの普通紙や転写紙の両方に印刷することができる。【解決手段】画像形成装置１は、第１画像形成部１０Ｃ，１０Ｙ，１０Ｍ及び第２画像形成部１０Ｗ，１０Ｔと、これらの第１画像形成部及び第２画像形成部により形成されたトナー画像を印刷媒体３上に転写する転写ユニット２０と、転写されたトナー画像を定着させる定着ユニット３０と、印刷モードに応じて第１画像形成部及び第２画像形成部と転写ユニット２０とを選択的に離接する離接手段と、印刷モードに応じて印刷媒体３を複数回ループ搬送が可能な再給紙ユニット４０と、を備えている。そして、印刷モードに応じて、印刷媒体３に対して、トナー画像のうちの特色トナー画像をカラートナー画像の上又は下のいずれか一方に選択的に形成可能な構成になっている。【選択図】図１
2014095784.tif 000002
【特許請求の範囲】
【請求項１】
画像形成領域に配設され、カラー現像剤画像を生成する第１画像形成部と、
前記画像形成領域に配設され、前記カラー現像剤画像とは異なる色の特色現像剤画像を形成する第２画像形成部と、
前記第１画像形成部及び前記第２画像形成部に対向して配設され、前記第１画像形成部により形成された前記カラー現像剤画像と前記第２画像形成部により形成された前記特色現像剤画像とを印刷媒体上に転写する転写部と、
前記転写部により前記印刷媒体上に転写された前記カラー現像剤画像及び前記特色現像剤画像を定着させる定着部と、
印刷モードに応じて、前記第１画像形成部及び前記第２画像形成部と前記転写部とを選択的に離接する離接手段と、
前記印刷モードに応じて、前記画像形成領域において前記印刷媒体を複数回ループ搬送が可能なループ搬送手段と、を備え、
前記印刷モードに応じて、前記印刷媒体に対して、前記特色現像剤画像を前記カラー現像剤画像の上又は下のいずれか一方に選択的に形成可能な構成にしたことを特徴とする画像形成装置。
【請求項２】
請求項１記載の画像形成装置は、印刷制御手段を有し、
前記印刷制御手段は、
前記印刷媒体と前記印刷モードとの対応を示す印刷媒体／印刷モード対応情報に基づき、選択された前記印刷モードに応じて、前記印刷媒体に対して、前記特色現像剤画像を前記カラー現像剤画像の上又は下のいずれか一方に選択的に形成させる制御を行うことを特徴とする画像形成装置。
【請求項３】
前記特色現像剤画像は、白又は透明の現像剤画像であり、
前記印刷モードに応じて、前記第１画像形成部と前記第２画像形成部とは、前記離接手段により前記転写部に対して別々に離接して、画像を形成することを特徴とする請求項１又は２記載の画像形成装置。
【請求項４】
前記離接手段は、前記印刷モードに応じて、前記第１画像形成部を前記転写部から離間して、前記第２画像形成部を前記転写部に接触させることを特徴とする請求項１〜３のいずれか１項に記載の画像形成装置。
【請求項５】
前記離接手段は、前記印刷モードに応じて、前記第１画像形成部を前記転写部に接触させ、前記第２画像形成部を前記転写部から離間させることを特徴とする請求項１〜３のいずれか１項に記載の画像形成装置。
【請求項６】
前記印刷モードは、前記印刷媒体の種別により設定された前記カラー現像剤画像と前記特色現像剤画像との積層の順序を、選択するためのものであることを特徴とする請求項１〜３のいずれか１項に記載の画像形成装置。
【請求項７】
前記第１画像形成部及び前記第２画像形成部は、前記画像形成領域において、前記印刷媒体の搬送方向に対して所定間隔隔てて配置され、
前記第２画像形成部は、前記搬送方向に対して最上流又は最下流に配置されていることを特徴とする請求項３記載の画像形成装置。
【請求項８】
前記白の現像剤画像の濃度を大きくするための他の前記印刷モードを持つことを特徴とする請求項３記載の画像形成装置。
【請求項９】
前記第１画像形成部及び前記第２画像形成部における各画像形成部は、
画像を静電潜像として担持する静電潜像担持体と、
前記静電潜像担持体を帯電させる帯電手段と、
前記静電潜像担持体に形成された前記静電潜像を現像する現像剤担持体と、
前記現像剤担持体に現像剤を供給する現像剤供給手段と、
前記現像剤担持体上の前記現像剤を均一な層にする層形成手段と、
前記現像剤を貯蔵して前記現像剤を前記現像剤供給手段に供給する現像剤貯蔵手段と、を有し、
前記各画像形成部の近傍には、前記静電潜像担持体を露光して前記静電潜像担持体上に前記静電潜像を形成する露光手段がそれぞれ設けられていることを特徴とする請求項１〜８のいずれか１項に記載の画像形成装置。
【請求項１０】
前記静電潜像担持体は、感光体ドラム、
前記帯電手段は、帯電ローラ、
前記現像剤担持体は、現像ローラ、
前記現像剤供給手段は、供給ローラ、
前記層形成手段は、層形成ブレード、
前記現像剤貯蔵手段は、取り外し自在の現像剤タンク、
であることを特徴とする請求項９記載の画像形成装置。
【請求項１１】
前記転写部は、
前記印刷媒体を前記画像形成領域に搬送する転写ベルトと、
前記転写ベルトを介して前記静電潜像担持体に接触する転写手段と、
を有することを特徴とする請求項１〜８のいずれか１項に記載の画像形成装置。
【請求項１２】
前記静電潜像担持体は、感光体ドラムであり、
転写手段は、転写ローラであることを特徴とする請求項１１記載の画像形成装置。
【請求項１３】
前記定着部は、
前記印刷媒体上に転写された前記カラー現像剤画像及び前記特色現像剤画像を加熱及び加圧して定着させる加熱ローラ及び加圧ローラであることを特徴とする請求項１〜８のいずれか１項に記載の画像形成装置。
【請求項１４】
前記離接手段は、
固定した前記転写部に対して、前記第１画像形成部及び前記第２画像形成部を一括して上下動させる構成、
前記第１画像形成部及び前記第２画像形成部を固定しておき、前記転写部を上下動させる構成、
又は、固定した前記転写部に対して、前記第１画像形成部及び前記第２画像形成部を個別に上下動する構成、
のいずれか１つの離接機構であることを特徴とする請求項１〜８のいずれか１項に記載の画像形成装置。
【請求項１５】
前記ループ搬送手段は、
前記定着部で定着されて切り替えられた前記印刷媒体を、前記印刷媒体の印刷面を変えないで、前記画像形成領域へ搬送する再給紙ユニットであることを特徴とする請求項１〜８のいずれか１項に記載の画像形成装置。
【発明の詳細な説明】
【技術分野】
【０００１】
本発明は、電子写真方式のプリンタや複写機等の画像形成装置に関するものである。
【背景技術】
【０００２】
従来、例えば、特許文献１に記載されているように、所定の印刷媒体にトナーを定着して画像を形成する電子写真記録方式の画像形成装置が知られている。かかる画像形成装置は、感光体ドラムの帯電及び露光、供給ローラから現像ローラへのトナー供給、当該感光体ドラム上に形成された静電潜像に現像ローラ上のトナーによる現像、得られたトナー画像は転写ベルトにより保持された印刷媒体上への転写、更に、当該印刷媒体上のトナー画像を定着する、といったプロセスを経ることにより、画像形成を行うものである。
【０００３】
この画像形成装置において、印刷媒体としての透明フィルムに印刷する場合、最下流に白（以下「Ｗ」という。）トナーの感光体ドラムを配置し、カラー画像の背面にＷトナーを転写して、明度の高い印刷画像を得ていた。
【先行技術文献】
【特許文献】
【０００４】
【特許文献１】特開２００７−８３６３４号公報
【発明の概要】
【発明が解決しようとする課題】
【０００５】
しかしながら、従来の画像形成装置では、Ｗトナーの感光体ドラムを最下流に配置すると、印刷媒体への下地画像として、最初にＷトナー画像を転写することができず、感光体ドラムの移動が必要になり、不利不便であった。
【課題を解決するための手段】
【０００６】
本発明の画像形成装置は、画像形成領域ＰＦに配設され、カラー現像剤画像を生成する第１画像形成部と、前記画像形成領域に配設され、前記カラー現像剤画像とは異なる色の特色現像剤画像を形成する第２画像形成部と、前記第１画像形成部及び前記第２画像形成部に対向して配設され、前記第１画像形成部により形成された前記カラー現像剤画像と前記第２画像形成部により形成された前記特色現像剤画像とを印刷媒体３上に転写する転写部と、前記転写部により前記印刷媒体上に転写された前記カラー現像剤画像及び前記特色現像剤画像を定着させる定着部と、印刷モードに応じて、前記第１画像形成部及び前記第２画像形成部と前記転写部とを選択的に離接する離接手段と、前記印刷モードに応じて、前記画像形成領域において前記印刷媒体を複数回ループ搬送が可能なループ搬送手段と、を備え、前記印刷モードに応じて、前記印刷媒体に対して、前記特色現像剤画像を前記カラー現像剤画像の上又は下のいずれか一方に選択的に形成可能な構成にしたことを特徴とする。
【０００７】
前記発明の画像形成装置は、例えば、印刷制御手段を有し、前記印刷制御手段は、前記印刷媒体と前記印刷モードとの対応を示す印刷媒体／印刷モード対応情報に基づき、選択された前記印刷モードに応じて、前記印刷媒体に対して、前記特色現像剤画像を前記カラー現像剤画像の上又は下のいずれか一方に選択的に形成させる制御を行うことを特徴とする。
【発明の効果】
【０００８】
本発明によれば、ユーザが第１画像形成部及び第２画像形成部の入れ替えを行うことなく、種別の異なる印刷媒体に印刷することができ、効率良く作業することができる。更に、第１画像形成部及び第２画像形成部と転写部とを選択的に離接するため、無駄な空回しや、無駄な転写工程がなくなるので、第１画像形成部及び第２画像形成部を入れ替えた時と同様な画像を得え、長寿命化することが可能となる。
【図面の簡単な説明】
【０００９】
【図１】図１は本発明の実施例１における画像形成装置の構造を示す概略の断面図である。
【図２−１】図２−１は離接機構５０の第１の方式である画像形成部一括移動方式の離接機構を示す概略の構成図である。
【図２−２】図２−２は離接機構５０の第２の方式である転写ユニット移動方式の離接機構を示す概略の構成図である。
【図２−３】図２−３は離接機構５０の第３の方式である画像形成部個別移動方式の離接機構を示す概略の構成図である。
【図３】図３は図１の画像形成装置１の制御系を示すブロック図である。
【図４】図４は図３中のＲＯＭ６５に格納された印刷モード設定画面６５ｂの例を示す図である。
【図５】図５は図３中のＲＯＭ６５に格納された印刷媒体／印刷モード対応テーブル６５ｃの例を示す図である。
【図６】図６は普通紙印刷及び転写紙印刷を説明する図である。
【図７】図７は図１〜図３の画像形成装置１における印刷動作を示すフローチャートである。
【図８】図８は本発明の実施例２における画像形成装置の要部である複数の画像形成部及び転写ユニットを示す概略の構成図である。
【図９】図９は図８の画像形成装置１Ａにおける印刷動作を示すフローチャートである。
【図１０】図１０は図８の変形例１であって画像形成装置１Ａの要部である複数の画像形成部及び転写ユニットを示す概略の構成図である。
【図１１】図１１は図８の変形例２であって画像形成装置１Ａの要部である複数の画像形成部及び転写ユニットを示す概略の構成図である。
【図１２】図１２は図８の変形例３であって画像形成装置１Ａの要部である複数の画像形成部及び転写ユニットを示す概略の構成図である。
【図１３】図１３は図８の変形例４であって画像形成装置１Ａの要部である複数の画像形成部及び転写ユニットを示す概略の構成図である。
【図１４】図１４は図８の変形例５であって画像形成装置１Ａの要部である複数の画像形成部及び転写ユニットを示す概略の構成図である。
【図１５】図１５は印刷媒体搬送方向の最上流側もしくは最下流側にＴ画像形成部１０ＴもしくはＷ画像形成部１０Ｗを配置した場合の、転写ベルト２１との離間と転写時の関係の一覧を示す図である。
【図１６】図１６は本発明の実施例３の画像形成装置における印刷モード設定画面６５Ｂの例を示す図である。
【図１７】図１７は実施例３の画像形成装置１Ｂにおける印刷動作を示すフローチャートである。
【図１８】図１８は実施例１、２及び変形例１〜５と実施例３との実験結果を示す図である。
【発明を実施するための形態】
【００１０】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１１】
（実施例１の構成）
図１は、本発明の実施例１における画像形成装置の構造を示す概略の断面図である。
【００１２】
この画像形成装置１は、例えば、シアン（以下「Ｃ」という。）、マゼンタ（以下「Ｍ」という。）、イエロー（以下「Ｙ」という。）、及びＷの４色を印刷可能なタンデム方式の電子写真式プリンタである。なお、本実施例１では、Ｃ，Ｍ，Ｙ，Ｗの４色を用いて説明するが、ブラック（以下「Ｋ」という。），Ｙ，Ｍ，Ｃ，Ｗの５色を用いても良い。
【００１３】
本実施例１の画像形成装置１は、装置全体を収容する筐体１ａを有している。筐体１ａ内の下部には、印刷媒体カセットとしての着脱自在の用紙カセット２が装着されている。用紙カセット２内には、複数枚の印刷媒体３が積層状態で収容されている。印刷媒体３としては、例えば、色付きの普通紙３ａや転写紙３ｂが使用される。色付きの普通紙３ａとは、Ｗ色ではない色の付いたＫ色、青色、赤色等の普通紙である。転写紙３ｂとは、Ｔシャツ用等に転写するための媒体である。転写紙３ｂは、この上に現像剤としてのトナー１７により形成されたトナー画像を、定着後にアイロン等の熱によりＴシャツ等へ転写して用いる。
【００１４】
用紙カセット２の先端側上部には、給紙ローラ４が設けられている。給紙ローラ４は、モータ等によって図１中の矢印の反時計方向ｘ１に回転し、用紙カセット２から１枚ずつ印刷媒体３を分離して、図１中の矢印の搬送方向ｙへ取り出すものである。給紙ローラ４の上方であって、印刷媒体３の搬送方向ｙの下流側には、搬送ローラユニット５が設けられている。搬送ローラユニット５は、モータ等によって回転し、取り出された印刷媒体３を引き出すものであり、この下流側の近傍に、位置検出センサ６が設けられている。
【００１５】
位置検出センサ６は、引き出された印刷媒体３の先頭位置を検出するものであり、この下流側に、吸着ローラ７と、４色の画像形成部１０（例えば、第１画像形成部としてのＣ画像形成部１０Ｃ、Ｙ画像形成部１０Ｙ及びＭ画像形成部１０Ｍと、第２画像形成部としてのＷ画像形成部１０Ｗ）と、転写部としての転写ユニット２０と、が設けられている。吸着ローラ７は、転写ユニット２０内の転写ベルト２１に印刷媒体３を吸着させるものである。
【００１６】
４色の画像形成部１０は、カラー（Ｃ，Ｙ，Ｍ）トナー画像を形成する第１画像形成部としてのＣ画像形成部１０Ｃ、Ｙ画像形成部１０Ｙ及びＭ画像形成部１０Ｍと、そのカラー（Ｃ，Ｙ，Ｍ）トナー画像とは異なる色（例えば、Ｗ）の特色トナー画像を形成する第２画像形成部としてのＷ画像形成部１０Ｗとを有し、これらが画像形成領域ＰＦに配置されている。
【００１７】
各色の画像形成部１０（＝１０Ｃ，１０Ｙ，１０Ｍ，１０Ｗ）は、同一の構成である。例えば、Ｃ画像形成部１０Ｃは、図１中の矢印の時計方向ｚに回転し、画像を静電潜像として担持する静電潜像担持体としての感光体ドラム１１Ｃと、この感光体ドラム１１Ｃに接触して回転し、その感光体ドラム１１Ｃを均一に帯電させる帯電手段としての帯電ローラ１２と、感光体ドラム１１Ｃに接触し、この感光体ドラム１１Ｃの表面に形成された静電潜像を現像する現像剤担持体としての現像ローラ１３と、この現像ローラ１３にトナー１７（＝１７Ｃ，１７Ｙ，１７Ｍ，１７Ｗ）を供給する現像剤供給手段としての供給ローラ１４と、現像ローラ１３に接触し、この現像ローラ１３上のトナー１７を均一なトナー層にする層形成手段としての層形成ブレード１５と、トナー１７を貯蔵して供給ローラ１４にそのトナー１７を供給する現像剤貯蔵手段としての取り外し自在のトナータンク１６等と、により構成されている。
【００１８】
Ｃ画像形成部１０Ｃ内のトナータンク１６にはＣトナー１７Ｃが貯蔵され、更に、Ｙ画像形成部１０Ｙ内のトナータンク１６にはＹトナー１７Ｙが、Ｍ画像形成部１０Ｍ内のトナータンク１６にはＭトナー１７Ｍが、Ｗ画像形成部１０Ｗ内のトナータンク１６にはＷトナー１７Ｗが、それぞれ貯蔵されている。
【００１９】
各感光体ドラム１１（＝１１Ｃ，１１Ｙ，１１Ｍ，１１Ｗ）と、各現像ローラ１３及び各供給ローラ１４とには、片端部に図示せぬギアが配置され、その各現像ローラ１３と各供給ローラ１４とが、各感光体ドラム１１（＝１１Ｃ，１１Ｙ，１１Ｍ，１１Ｗ）のギアと噛み合うことにより、回転駆動される。
【００２０】
画像形成部１０Ｃの近傍には、露光手段としての発光素子（以下「ＬＥＤ」という。）ヘッド１８Ｃが設けられている。ＬＥＤヘッド１８Ｃは、感光体ドラム１１Ｃの表面を露光してこの感光体ドラム１１Ｃ上に静電潜像を形成するものである。
【００２１】
他のＹ，Ｍ，Ｗ画像形成部１０Ｙ，１０Ｍ，１０Ｗも、Ｃ画像形成部１０Ｃと同様に、感光体ドラム１１Ｙ，１１Ｍ，１１Ｗ等を有する同一の構成である。更に、各画像形成部１０Ｙ，１０Ｍ，１０Ｗの近傍には、ＬＥＤヘッド１８Ｙ，１８Ｍ，１８Ｗがそれぞれ設けられている。
【００２２】
ここで、各トナータンク１６に貯蔵される各色のトナー１７としては、例えば、ポリエステル樹脂、着色剤、帯電制御剤、及び離型剤で構成され、外添剤（疎水性シリカ）が添加されており、粉砕法により得られた粉砕形状の平均粒径８μｍの現像剤を利用する。Ｃ，Ｍ，Ｙの着色剤は、混ぜて色を作るため、ある程度透明な顔料を使用し、又、Ｗの着色剤は、不透明な着色剤である。各色の現像ローラ１３は、金属製のシャフトの外周に弾性体で構成されている。これらの現像ローラ１３としては、例えば、金属製のシャフト上に弾性体としてゴム硬度７０°（アスカーＣ）の半導電性のウレタンゴムを用いている。各色の供給ローラ１４は、金属製のシャフトの外周に発泡体で構成されている。これらの供給ローラ１４としては、例えば、金属製シャフトの上に硬度５０°（アスカーＦ）のシリコン発砲体が成形されている。
【００２３】
４色の画像形成部１０（＝１０Ｃ，１０Ｙ，１０Ｍ，１０Ｗ）の下側の対向する位置には、転写ユニット２０が配置されている。転写ユニット２０は、各色の画像形成部１０（＝１０Ｃ，１０Ｙ，１０Ｍ，１０Ｗ）により形成されたトナー画像を、印刷媒体３上に転写するものである。この転写ユニット２０は、無端状で印刷媒体３の搬送を行う転写ベルト２１と、図１中の矢印の反時計方向ｘ２に回転して転写ベルト２１の一端部を回転駆動する駆動ローラ２２と、転写ベルト２１の他端部に設けられ、その駆動ローラ２２に従動して図１中の矢印の反時計方向ｘ２に回転する従動ローラ２３と、転写ベルト２１を介して各色の感光体ドラム１１（＝１１Ｃ，１１Ｙ，１１Ｍ，１１Ｗ）にそれぞれ接触する転写手段としての各色の転写ローラ２４（＝２４Ｃ，２４Ｙ，２４Ｍ，２４Ｗ）等と、により構成されている。各色の転写ローラ２４は、所定電圧が印加され、各感光体ドラム１１上のトナー画像を印刷媒体３に転写させるものである。
【００２４】
画像形成領域ＰＦにおいて、Ｗ画像形成部１０Ｗの下流側には、定着部としての定着ユニット３０が設けられている。定着ユニット３０は、印刷媒体３上に転写されたトナー画像を加熱及び加圧してその印刷媒体３に定着させるものであり、印刷媒体３を挟んで互いに圧接している加熱ローラ３１及び加圧ローラ３２等により、構成されている。加熱ローラ３１は、例えば、内部にハロゲンランプ等の発熱体を有し、印刷媒体３を加熱するものである。加圧ローラ３２は、印刷媒体３を介して加熱ローラ３１を加圧し、その印刷媒体３にトナー画像の定着を行うものである。
【００２５】
定着ユニット３０の下流側には、セパレータ３３が設けられている。セパレータ３３は、トナー画像が定着された印刷媒体３を、再度、画像形成領域ＰＦへ供給（即ち、再給紙）するか、あるいは、その印刷媒体３を外部へ排出するかを、切り替える部材である。印刷媒体３の排出経路側には、排出ローラユニット３４及び排出カセット３５が設けられている。排出ローラユニット３４は、印刷媒体３を排出カセット３５へ排出するものである。排出カセット３５は、筐体１ａの上部に設けられ、排出ローラユニット３４から排出された印刷媒体３を収容するものである。
【００２６】
印刷媒体３の再給紙経路側には、ループ搬送手段としての再給紙ユニット４０が設けられている。再給紙ユニット４０は、セパレータ３３により切り替えられた印刷媒体３の１回目の印刷面と２回目の印刷面とを変えないで、その印刷媒体３を画像形成領域ＰＦへループさせるものである。この再給紙ユニット４０は、セパレータ３３により切り替えられた印刷媒体３を取り込む搬送ローラ対４１と、取り込まれた印刷媒体３を搬送ローラユニット５側へ搬送する再給紙経路４２等と、により構成されている。
【００２７】
このような画像形成装置には、図２−１（ａ）、（ｂ）、図２−２（ａ）〜（ｃ）、及び図２−３に示すように、複数の画像形成部１０（＝１０Ｃ，１０Ｙ，１０Ｍ，１０Ｗ）と転写ユニット２０とを離接する離接手段としての離接機構５０が設けられている。
【００２８】
離接機構５０には、３つの方式がある。第１の方式は、固定した転写ユニット２０に対して、全ての画像形成部１０（＝１０Ｃ，１０Ｙ，１０Ｍ，１０Ｗ）を一度に上下動させる画像形成部一括移動方式である。第２の方式は、全ての画像形成部１０（＝１０Ｃ，１０Ｙ，１０Ｍ，１０Ｗ）を固定しておき、転写ユニット２０を上下に移動（即ち、上下に回動）させる転写ユニット移動方式である。更に、第３の方式は、固定した転写ユニット２０に対して、各画像形成部１０を個別に上下動する画像形成部個別移動方式である。
【００２９】
図２−１（ａ）、（ｂ）は、図１の離接機構５０の第１の方式である画像形成部一括移動方式の離接機構を示す概略の構成図である。
【００３０】
この図２−１の離接機構５０は、各色の画像形成部１０（＝１０Ｃ，１０Ｙ，１０Ｍ，１０Ｗ）の下部にそれぞれ取り付けられたローラ１９（＝１９Ｃ，１９Ｙ，１９Ｍ，１９Ｗ）を上下に移動させるためのロッド状の直動カム５１と、この直動カム５１を水平方向に往復直線運動をさせるためのリフトアップリンク５２と、このリフトアップリンク５２に取り付けられて直動カム５１の一端部５１ｃを往復運動をさせるための移動部５３等と、により構成されている。直動カム５１の上面には、各ローラ１９（＝１９Ｃ，１９Ｙ，１９Ｍ，１９Ｗ）をそれぞれ受け入れる複数の凹部５１ａと、これらの凹部５１ａ間に位置する複数の凸部５１ｂと、が形成されている。直動カム５１の一端部５１ｃは、リフトアップリンク５２に連結されている。
【００３１】
このような構成の離接機構５０では、図２−１（ａ）に示すように、移動部５３の駆動力により、リフトアップリンク５２を介して直動カム５１が破線矢印の右方向へ移動すると、３つのＣ，Ｙ，Ｍ画像形成部１０Ｃ，１０Ｙ，１０Ｍ側の３つのローラ１９Ｃ，１９Ｙ，１９Ｍが、直動カム５１の各凸部５１ｂにより押し上げられて、その３つの画像形成部１０Ｃ，１０Ｙ，１０Ｍが実線矢印の上方向へ移動し、転写ユニット２０から離間する。Ｗ画像形成部１０Ｗ側のローラ１９Ｗは、直動カム５１の凹部５１ａに落ち込むので、その画像形成部１０Ｗが落下して転写ユニット２０に接触する。
【００３２】
又、図２−１（ｂ）に示すように、移動部５３の駆動力により、直動カム５１が破線矢印の左方向へ移動すると、Ｃ，Ｙ，Ｍ用の３つの画像形成部１１０Ｃ，１０Ｙ，１０Ｍ側の３つのローラ１９Ｃ，１９Ｙ，１９Ｍが、直動カム５１の各凹部５１ａに落ち込むので、それらの画像形成部１０Ｃ，１０Ｙ，１０Ｍが落下して転写ユニット２０に接触する。Ｗ画像形成部１０Ｗ側のローラ１９Ｗは、直動カム５１の各凸部５１ｂにより押し上げられて、その画像形成部１０Ｗが実線矢印の上方向へ移動し、転写ユニット２０から離間する。直動カム５１が更に左方向へ移動すると、３つのローラ１９Ｃ，１９Ｙ，１９Ｍが直動カム５１の各凹部５１ａ内を移動すると共に、ローラ１８Ｗが直動カム５１の凹部５１ａに落ち込んで画像形成部１０Ｗが落下するので、全ての画像形成部１０Ｃ，１０Ｙ，１０Ｍ，１０Ｗが転写ユニット２０に接触する。
【００３３】
図２−２（ａ）〜（ｃ）は、図１の離接機構５０の第２の方式である転写ユニット移動方式の離接機構を示す概略の構成図である。
【００３４】
この図２−２の離接機構５０では、全ての画像形成部１０（＝１０Ｃ，１０Ｙ，１０Ｍ，１０Ｗ）に対して、転写ユニット２０における駆動ローラ２２側及び従動ローラ２３側をそれぞれ上下に移動させる構成になっている。各画像形成部１０は、ばね等の付勢手段によって下方向に付勢され、所定の範囲（例えば、数ｍｍ〜数十ｍｍ程度）で、上下の移動が可能な構成になっている。
【００３５】
図２−２（ａ）に示す状態では、離接機構５０により、転写ユニット２０における駆動ローラ２２側及び従動ローラ２３側が共に上方へ持ち上げられ、この転写ユニット２０が全ての画像形成部１０（＝１０Ｃ，１０Ｙ，１０Ｍ，１０Ｗ）に接触している。図２−２（ｂ）に示す状態では、離接機構５０により、転写ユニット２０の駆動ローラ２２側が、実線の矢印方向に押し下げられ、この転写ユニット２０の従動ローラ２３側のみがＷ画像形成部１０Ｗに接触し、転写ユニット２０の他の箇所がＣ，Ｙ，Ｍ画像形成部１０Ｃ，１０Ｙ，１０Ｍから離間している。図２−２（ｃ）に示す状態では、離接機構５０により、転写ユニット２０の従動ローラ２３側が、実線の矢印方向に押し下げられ、この転写ユニット２０の従動ローラ２３側のみがＷ画像形成部１０Ｗから離間する。この際、転写ユニット２０の他の箇所は、下方向に付勢されたＣ，Ｙ，Ｍ画像形成部１０Ｃ，１０Ｙ，１０Ｍに接触している。
【００３６】
図２−３は、図１の離接機構５０の第３の方式である画像形成部個別移動方式の離接機構を示す概略の構成図である。
【００３７】
この図２−３の離接機構５０では、固定された転写ユニット２０に対して、実線矢印の上下方向に、各画像形成部１０（＝１０Ｃ，１０Ｙ，１０Ｍ，１０Ｗ）を個別に移動する構成になっている。
【００３８】
図３は、図１の画像形成装置１の制御系を示すブロック図である。
画像形成装置１の制御系では、電源部１００から駆動電圧の供給を受けて動作し、パーソナルコンピュータ（ＰＣ）等の情報入力手段としての上位装置１０１から供給される印刷データＤ１０１等に基づき、印刷動作を制御する構成になっている。画像形成装置１は、上位装置１０１との間で印刷データＤ１０１等の情報の授受を行うインタフェイス部６１を有し、このインタフェイス部６１に、印刷制御手段としての印刷制御部６２が接続されている。
【００３９】
印刷制御部６２は、画像形成装置１の全体の動作を制御するものである。この印刷制御部６２には、入力表示パネル等の操作入力部６３と、印刷媒体３を検出する各種センサ６４と、印刷動作のプログラム６５ａ等が格納されたメモリ（例えば、読み出し専用メモリ、以下「ＲＯＭ」という。）６５と、ワーキングデータ等を格納するメモリ（例えば、随時読み書き可能なメモリ、以下「ＲＡＭ」という。）６６と、中央処理装置（以下「ＣＰＵ」という。）６７と、が接続されている。ＣＰＵ６７は、ＲＯＭ６５及びＲＡＭ６６に対する読み書き（即ち、アクセス）を制御すると共に、ＲＯＭ６５に格納された印刷動作のプログラム６５ａに従った制御信号を印刷制御部６２に与える装置である。印刷制御部６２は、その制御信号に基づき、画像形成装置１の全体を制御する。ＲＯＭ６５には、印刷動作のプログラム６５ａの他に、印刷モード設定画面６５ｂのデータ、印刷媒体３と印刷モードとの対応を示す印刷媒体／印刷モード対応情報としての印刷媒体／印刷モード対応テーブル６５ｃ、モータ制御用のモータテーブル６５ｄ、及び、温度制御用の温度テーブル６５ｅ等が格納されている。
【００４０】
印刷制御部６２には、更に、各ローラの電圧制御を行うプロセス制御部６８と、画像形成部１０内の現像部を構成している現像ローラ１３、供給ローラ１４及び層形成ブレード１５の内の現像ローラ１３における現像電圧を制御する現像電圧制御部６９と、供給ローラ１４における供給電圧を制御する供給電圧制御部７０と、層形成ブレード１５における層形成電圧を制御する層形成電圧制御部７１と、帯電ローラ１２における帯電電圧を制御する帯電圧制御部７２と、各ＬＥＤヘッド１８（＝１８Ｃ，１８Ｙ，１８Ｍ，１８Ｗ）を制御する露光制御部７３と、各感光体ドラム１１（＝１１Ｃ，１１Ｙ，１１Ｍ，１１Ｗ）を回転駆動する感光体ドラムモータ７４ａを制御するモータ制御部７４と、駆動ローラ２２を回転駆動する駆動モータ７５ａを制御するモータ制御部７５と、各転写ローラ２４（＝２４Ｃ，２４Ｙ，２４Ｍ，２４Ｗ）を制御する転写ローラ制御部７６と、加熱ローラ３１を制御する加熱ローラ制御部７７と、離接機構５０の動作を制御する離接制御部７８と、位置センサ６を制御する位置センサ制御部７９と、が接続されている。
【００４１】
図４は、図３中のＲＯＭ６５に格納された印刷モード設定画面６５ｂの例を示す図である。
【００４２】
この印刷モード設定画面６５ｂでは、印刷媒体３である色付きの普通紙３ａ又は転写紙３ｂのいずれか一方を選択するための印刷媒体リスト６５ｂ−１、設定を保存するオーケー（以下「ＯＫ」という。）ボタン６５ｂ−２、及び、設定内容をキャンセルするキャンセルボタン６５ｂ−３を有している。
【００４３】
図５は、図３中のＲＯＭ６５に格納された印刷媒体／印刷モード対応テーブル６５ｃの例を示す図である。
【００４４】
印刷媒体３として、色付きの普通紙３ａを使用する場合、印刷モードＭＤは、「Ｗトナー画像をカラートナー画像の下に印刷」となる。転写紙３ｂを使用する場合、印刷モードＭＤは、「Ｗトナー画像をカラートナー画像の上に印刷」となる。
【００４５】
図６（ａ）、（ｂ）は、普通紙印刷及び転写紙印刷を説明する図であり、同図（ａ）は色付きの普通紙３ａに印刷する場合の説明図、及び、同図（ｂ）は転写紙３ｂに印刷する場合の説明図である。
【００４６】
図６（ａ）の普通紙印刷において、色付きの普通紙３ａ（例えば、青い普通紙）にカラー（Ｃ，Ｙ，Ｍ）トナー画像４７ＦＣを印刷する場合、色付きの普通紙３ａとカラートナー画像ＦＣとの間にＷトナー画像４７Ｗを印刷すれば、Ｗトナー画像４７Ｗが不透明画像のため、下地の影響を受けずに本来の色を再現できる。
【００４７】
図６（ｂ）の転写紙印刷において、例えば、青いＴシャツ４８にカラー（Ｃ，Ｙ，Ｍ）トナー画像４７ＦＣを印刷する場合、転写紙３ｂの上にカラートナー画像４７ＦＣを印刷し、更に、そのカラートナー画像４７ＦＣの上にＷトナー画像４７Ｗを印刷する。そして、Ｗトナー画像４７Ｗ面を青いＴシャツ４８上に載置し、熱４９を加えてＷトナー画像４７Ｗを青いＴシャツ４８に転写した後、転写紙３ｂを図６（ｂ）中の矢印の上方向に剥離すると、その青いＴシャツ４８上に、カラートナー画像４７ＦＣの反転した画像が印刷される。
【００４８】
（実施例１の動作）
図７は、図１〜図３の画像形成装置１における印刷動作を示すフローチャートである。
【００４９】
本実施例１の画像形成装置１では、図６（ａ）、（ｂ）に示すように、転写紙３ｂに印刷する場合と色付きの普通紙３ａに印刷する場合とで動作が異なるので、以下、転写紙３ｂに印刷する場合の動作（Ｉ）と、色付きの普通紙３ａに印刷する場合の動作（ＩＩ）と、を分けて説明する。
【００５０】
（Ｉ）  転写紙３ｂに印刷する場合の動作
図７のフローチャートにおいて、印刷動作が開始され、ステップＳ１において、画像形成装置１に電源が投入されると、図３中のＣＰＵ６７は、ＲＯＭ６５内の印刷動作のプログラム６５ａを読み出してこのプログラムに従った制御信号を印刷制御部６２に与える。印刷制御部６２は、ＣＰＵ６７から与えられる制御信号に基づき、画像形成装置１の全体を制御して図７のフローチャートの各ステップＳ２〜Ｓ１６の処理を実行する。
【００５１】
ステップＳ２において、図３中の印刷制御部６２により制御される離接制御部７８は、離接機構５０の動作を制御して全ての画像形成部１０Ｃ，１０Ｙ，１０Ｍ，１０Ｗを転写ベルト２１に接触させ、ステップＳ３の待機状態に入る。ステップＳ３において、図３中の上位装置１０１の表示部は、ユーザに対して印刷モードＭＤの入力を促す。ユーザが上位装置１０１を操作すると、インタフェイス部６１及び印刷制御部６２を経由したＣＰＵ６７の制御により、ＲＯＭ６５に格納された図４の印刷モード設定画面６５ｂのデータが呼び出され、印刷制御部６２及びインタフェイス部６１を経由して上位装置１０１の表示部にその印刷モード設定画面６５ｂが表示される。ユーザは、上位装置１０１の表示部に表示された図４の印刷モード設定画面６５ｂにおいて、印刷媒体リスト６５ｂ−１から転写紙３ｂを選択し、ＯＫボタン６５ｂ−２を押すと、転写紙３ｂの選択情報が、インタフェイス部６１を経由して印刷制御部６２へ送られる。印刷制御部６２は、印刷媒体３が選択されると、ＣＰＵ６７により、ＲＯＭ６５から図５の印刷媒体／印刷モード対応テーブル６５ｃを呼び出させ、「Ｗトナー画像をカラー（ＣＹＭ）トナー画像の上に印刷」する印刷モードＭＤとして動作させ、ステップＳ４へ進む。
【００５２】
ステップＳ４において、印刷制御部６２は、図６（ｂ）に示すように、Ｗトナー画像４７Ｗをカラー（Ｃ，Ｙ，Ｍ）トナー画像４７ＦＣの上に印刷する印刷モードＭＤであるので（ＹＥＳ）、ステップＳ５へ進む。ステップＳ５において、印刷制御部６２は、上位装置１０１からインタフェイス部６１を介して印刷指示を受けると、Ｃ，Ｙ，Ｍ画像形成部１０Ｃ，１０Ｙ，１０Ｍによりカラー（Ｃ，Ｙ，Ｍ）トナー画像４７ＦＣを転写紙３ｂに転写させる制御を行う。
【００５３】
即ち、印刷制御部６２は、ＣＰＵ６７により、ＲＯＭ６５からモータテーブル６５ｄを読み出させ、転写紙３ｂの印刷であるので、モータ制御部７５により駆動モータ７５ａを駆動させ、駆動ローラ２２を所定の速度で回転させる。例えば、印刷速度を１０ＰＰＭとして、駆動ローラ２２により、転写ベルト２１を４６ｍｍ／ｓで動作させる。又、印刷制御部６２は、モータ制御部７４により感光体ドラムモータ７４ａを駆動させて各感光体ドラム１１Ｃ，１１Ｙ，１１Ｍを回転させると共に、図示せぬモータによって各現像ローラ１３及び各供給ローラ１４を回転させる。各感光体ドラム１１Ｃ，１１Ｙ，１１Ｍが回転すると、各帯電ローラ１２がその各感光体ドラム１１Ｃ，１１Ｙ，１１Ｍと連れ回り、各感光体ドラム１１Ｃ，１１Ｙ，１１Ｍの表面を帯電する。
【００５４】
各感光体ドラム１１Ｃ，１１Ｙ，１１Ｍの表面が帯電されると、露光制御部７３の制御により、各ＬＥＤヘッド１８Ｃ，１８Ｙ，１８Ｍが、帯電した感光体ドラム１１Ｃ，１１Ｙ，１１Ｍの表面に、画像データに基づいた静電潜像を形成する。感光体ドラム１１Ｃ，１１Ｙ，１１Ｍの表面に静電潜像が形成されると、各供給ローラ１４に保持された各カラートナー１７Ｃ，１７Ｙ，１７Ｍが各現像ローラ１３の表面に供給される。各現像ローラ１３の表面の各カラートナー１７Ｃ，１７Ｙ，１７Ｍは、各層形成ブレード１５を通過すると、これらの各層形成ブレード１５のせん断力により、層厚が規制され均一になる。それぞれ均一に規制された各カラートナー１７Ｃ，１７Ｙ，１７Ｍが付着した各現像ローラ１３の表面と、各感光体ドラム１１Ｃ，１１Ｙ，１１Ｍの表面とが接触すると、各感光体ドラム１１Ｃ，１１Ｙ，１１Ｍ上の静電潜像に各カラートナー１７Ｃ，１７Ｙ，１７Ｍがそれぞれ現像される。
【００５５】
一方、モータ制御部７５の制御により、駆動モータ７５ａが駆動されて駆動ローラ２２が回転すると、従動ローラ２３が連れ回り、転写ベルト２１が回転移動する。そして、用紙カセット２内の印刷媒体３である転写紙３ｂは、給紙ローラ４により搬送方向ｙへ給紙された後、搬送ローラユニット５により挟まれ、位置センサ制御部７９により制御される位置検出センサ６により、転写紙３ｂの先頭位置が検出される。その後、転写紙３ｂは、吸着ローラ７と駆動ローラ２２に挟まれ、転写ベルト２１に吸着し、この転写ベルト２１によって画像形成領域ＰＦ中を搬送される。各感光体ドラム１１Ｃ，１１Ｙ，１１Ｍの表面の各カラートナー画像４７Ｃ，４７Ｙ，４７Ｍは、電源部１００から高電圧が印加されている各転写ローラ２４Ｃ，２４Ｙ，２４Ｍによって転写紙３ｂに転写される。
【００５６】
次に、ステップＳ６へ進み、転写紙３ｂに転写されたカラートナー画像４７ＦＣの上に、前記と同様にしてＷ画像形成部１０ＷよりＷトナー画像４７Ｗが転写され、ステップＳ７ヘ進む。ステップＳ７において、加熱ローラ制御部７７の制御により、定着ユニット３０内の加熱ローラ３１は、ＲＯＭ６５内の温度テーブル６５ｅにより設定された温度（例えば、１６０°Ｃ）に加熱されている。そのため、トナー画像４７ＦＣ，４７Ｗが転写された転写紙３ｂは、加熱された加熱ローラ３１と、これと対向して配設された加圧ローラ３２と、の間に挟まれて搬送されるので、転写紙３ｂ上のトナー画像４７ＦＣ，４７Ｗが、加熱ローラ３１と加圧ローラ３２とにより加熱、加圧され、その転写紙３ｂにトナー画像４７ＦＣ，４７Ｗが定着される。その後、ステップＳ１６において、定着処理された転写紙３ｂは、排出ローラユニット３４により、排出口から排出されて排出カセット３５へ搬送され、転写紙３ｂへの印刷動作が終了する。
【００５７】
（ＩＩ）  色付きの普通紙３ａに印刷する場合の動作
図７のフローチャートにおいて、前記（Ｉ）と同様に、印刷動作が開始され、ステップＳ１において、画像形成装置１に電源が投入され、ステップＳ２へ進む。ステップＳ２において、図３中の離接制御部７８は、離接機構５０を制御して全ての画像形成部１０Ｃ，１０Ｙ，１０Ｍ，１０Ｗを転写ベルト２１に接触させ、ステップＳ３の待機状態に入る。
【００５８】
ステップＳ３において、図３中の上位装置１０１の表示部は、ユーザに対して印刷モードＭＤの入力を促す。ユーザが上位装置１０１を操作すると、インタフェイス部６１及び印刷制御部６２を経由したＣＰＵ６７の制御により、ＲＯＭ６５に格納された図４の印刷モード設定画面６５ｂのデータが呼び出され、印刷制御部６２及びインタフェイス部６１を経由して上位装置１０１の表示部にその印刷モード設定画面６５ｂが表示される。ユーザは、上位装置１０１の表示部に表示された図４の印刷モード設定画面６５ｂにおいて、印刷媒体リスト６５ｂ−１から色付きの普通紙３ａを選択し、ＯＫボタン６５ｂ−２を押すと、色付きの普通紙３ａの選択情報が、インタフェイス部６１を経由して印刷制御部６２へ送られる。印刷制御部６２は、印刷媒体３が選択されると、ＣＰＵ６７により、ＲＯＭ６５から図５の印刷媒体／印刷モード対応テーブル６５ｃを呼び出させ、「Ｗトナー画像をカラー（Ｃ，Ｙ，Ｍ）トナー画像の下に印刷」する印刷モードＭＤとして動作させ、ステップＳ４へ進む。
【００５９】
ステップＳ４において、印刷制御部６２は、図６（ａ）に示すように、Ｗトナー画像４７Ｗをカラー（Ｃ，Ｙ，Ｍ）トナー画像４７ＦＣの下に印刷するモードＭＤであるので（ＮＯ）、ステップＳ８へ進む。ステップＳ８において、離接制御部７８は、離接機構５０（例えば、図２−１（ａ）の離接機構）を制御し、Ｃ，Ｙ，Ｍ画像形成部１０Ｃ，１０Ｙ，１０Ｍを図２−１（ａ）中の矢印上方向に上昇させて転写ベルト２１から離間させ、ステップＳ９へ進む。なお、図２−２（ｂ）の離接機構５０では、この離接機構５０により、転写ユニット２０の駆動ローラ２２側を矢印下方向に下降させて、Ｃ，Ｙ，Ｍ画像形成部１０Ｃ，１０Ｙ，１０Ｍから転写ベルト２１を離間させる。又、図２−３の離接機構５０では、この離接機構５０により、Ｃ，Ｙ，Ｍ画像形成部１０Ｃ，１０Ｙ，１０Ｍを矢印上方向に上昇させて転写ベルト２１から離間させる。この際、Ｃ，Ｙ，Ｍ画像形成部１０Ｃ，１０Ｙ，１０Ｍは、印刷動作とは関係が無くなるので、現像電圧制御部６９、供給電圧制御部７０、帯電電圧制御部７２及び層形成電圧制御部７１の制御により、Ｃ，Ｙ，Ｍ画像形成部１０Ｃ，１０Ｙ，１０Ｍ内の現像ローラ１３、供給ローラ１４、帯電ローラ１２及び層形成ブレード１５には電圧を印加しない。
【００６０】
ステップＳ９において、印刷制御部６２は、上位装置１０１からインタフェイス部６１を介して印刷指示を受けると、Ｗ画像形成部１０ＷによりＷトナー画像４７Ｗを色付きの普通紙３ａに転写させる制御を行う。
【００６１】
即ち、印刷制御部６２は、ＣＰＵ６７により、ＲＯＭ６５からモータテーブル６５ｄを読み出させ、色付きの普通紙３ａの印刷であるので、モータ制御部７５により駆動モータ７５ａを駆動させ、駆動ローラ２２を所定の速度で回転させる。例えば、印刷速度を３０ＰＰＭとして、駆動ローラ２２により、転写ベルト２１を１３０ｍｍ／ｓで動作させる。又、印刷制御部６２は、モータ制御部７４により感光体ドラムモータ７４ａを駆動させて感光体ドラム１１Ｗを回転させると共に、図示せぬモータによってＷ画像形成部１０Ｗ内の現像ローラ１３及び供給ローラ１４を回転させる。感光体ドラム１１Ｗが回転すると、帯電ローラ１２がその感光体ドラム１１Ｗと連れ回り、感光体ドラム１１Ｗの表面を帯電する。
【００６２】
感光体ドラム１１Ｗの表面が帯電されると、露光制御部７３の制御により、ＬＥＤヘッド１８Ｗが、帯電した感光体ドラム１１Ｗの表面に、画像データに基づいた静電潜像を形成する。感光体ドラム１１Ｗの表面に静電潜像が形成されると、供給ローラ１４に保持されたＷトナー１７Ｗが現像ローラ１３の表面に供給される。現像ローラ１３の表面のＷトナー１７Ｗは、層形成ブレード１５を通過すると、この層形成ブレード１５のせん断力により、層厚が規制され均一になる。均一に規制されたＷトナー１７Ｗが付着した現像ローラ１３の表面と、感光体ドラム１１Ｗの表面とが接触すると、感光体ドラム１１Ｗ上の静電潜像にＷトナー画像４７Ｗが現像される。
【００６３】
一方、モータ制御部７５の制御により、駆動モータ７５ａが駆動されて駆動ローラ２２が回転すると、従動ローラ２３が連れ回り、転写ベルト２１が回転移動する。そして、用紙カセット２内の印刷媒体３である色付きの普通紙３ａは、給紙ローラ４により搬送方向ｙへ給紙された後、搬送ローラユニット５により挟まれ、位置センサ制御部７９で制御される位置検出センサ６により、色付きの普通紙３ａの先頭位置が検出される。その後、色付きの普通紙３ａは、吸着ローラ７と駆動ローラ２２に挟まれ、転写ベルト２１に吸着し、この転写ベルト２１によって画像形成領域ＰＦ中の画像形成部１０Ｗまで搬送される。感光体ドラム１１Ｗの表面のＷトナー画像４７Ｗは、電源部１００から高電圧が印加されている転写ローラ２４Ｗによって色付きの普通紙３ａに転写され、ステップＳ１０へ進む。
【００６４】
ステップＳ１０において、加熱ローラ制御部７７の制御により、定着ユニット３０内の加熱ローラ３１は、ＲＯＭ６５内の温度テーブル６５ｅにより設定された温度（例えば、１６０°Ｃ）に加熱されている。そのため、Ｗトナー画像４７Ｗが転写された色付きの普通紙３ａは、加熱された加熱ローラ３１と、これと対向して配設された加圧ローラ３２と、の間に挟まれて搬送されるので、色付きの普通紙３ａ上のＷトナー画像４７Ｗが、加熱ローラ３１と加圧ローラ３２とにより加熱、加圧され、その色付きの普通紙３ａに対してＷトナー画像４７Ｗの１回目の定着が行われ、ステップＳ１１へ進む。
【００６５】
ステップＳ１１において、色付きの普通紙３ａを再給紙するために、この色付きの普通紙３ａをループさせる。即ち、定着後の色付きの普通紙３ａは、セパレータ３３により再給紙ユニット４０側に振り分けられ、この再給紙ユニット４０内の搬送ローラ対４１により、再給紙経路４２を通って搬送ローラユニット５まで送られ、位置検出センサ６によりその色付きの普通紙３ａの先頭が検出される。なお、再給紙ユニット４０では、１回目の定着面と同じ面に転写したいため、色付きの普通紙３ａを反転せずに搬送し、ステップＳ１２へ進む。
【００６６】
ステップＳ１２において、離接制御部７８は、離接機構５０（例えば、図２−１（ｂ）の離接機構）を制御し、Ｃ，Ｙ，Ｍ画像形成部１０Ｃ，１０Ｙ，１０Ｍを下降させて転写ベルト２１に接触させ、ステップＳ１３へ進む。なお、図２−２（ｃ）の離接機構５０では、この離接機構５０により、転写ユニット２０の従動ローラ２３側を矢印下方向に下降させて、Ｃ，Ｙ，Ｍ画像形成部１０Ｃ，１０Ｙ，１０Ｍを転写ベルト２１に接触させる。又、図２−３の離接機構５０では、この離接機構５０により、Ｃ，Ｙ，Ｍ画像形成部１０Ｃ，１０Ｙ，１０Ｍを矢印下方向に降下させて転写ベルト２１に接触させる。
【００６７】
ステップＳ１３において、離接制御部７８は、離接機構５０（例えば、図２−１（ｂ）の離接機構）を制御し、Ｗ画像形成部１０Ｗを図の矢印上方向に上昇させて転写ベルト２１から離間させ、ステップＳ１４へ進む。なお、図２−２（ｃ）の離接機構５０では、この離接機構５０により、転写ユニット２０の従動ローラ２３側を矢印下方向に下降させると、Ｗ画像形成部１０Ｗから転写ベルト２１が離間する。又、図２−３の離接機構５０では、この離接機構５０により、Ｗ画像形成部１０Ｗを矢印上方向に上昇させて転写ベルト２１から離間させる。この際、Ｗ画像形成部１０Ｗは、印刷動作とは関係が無くなるので、現像電圧制御部６９、供給電圧制御部７０、帯電電圧制御部７２及び層形成電圧制御部７１の制御により、Ｗ画像形成部１０Ｗ内の現像ローラ１３、供給ローラ１４、帯電ローラ１２及び層形成ブレード１５には電圧を印加しない。
【００６８】
ステップＳ１４において、印刷制御部６２は、上位装置１０１からインタフェイス部６１を介して印刷指示を受けると、Ｃ，Ｙ，Ｍ画像形成部１０Ｃ，１０Ｙ，１０Ｍによりカラー（Ｃ，Ｙ，Ｍ）トナー画像４７ＦＣを色付きの普通紙３ａに転写させる制御を行う。
【００６９】
即ち、印刷制御部６２は、ＣＰＵ６７により、ＲＯＭ６５からモータテーブル６５ｄを読み出させ、色付きの普通紙３ａの印刷であるので、モータ制御部７５により駆動モータ７５ａを駆動させ、駆動ローラ２２を所定の速度で回転させる。例えば、印刷速度を３０ＰＰＭとして、駆動ローラ２２により、転写ベルト２１を１３０ｍｍ／ｓで動作させる。又、印刷制御部６２は、モータ制御部７４により感光体ドラムモータ７４ａを駆動させて各感光体ドラム１１Ｃ，１１Ｙ，１１Ｍを回転させると共に、図示せぬモータによって各現像ローラ１３及び各供給ローラ１４を回転させる。各感光体ドラム１１Ｃ，１１Ｙ，１１Ｍが回転すると、各帯電ローラ１２がその各感光体ドラム１１Ｃ，１１Ｙ，１１Ｍと連れ回り、各感光体ドラム１１Ｃ，１１Ｙ，１１Ｍの表面を帯電する。
【００７０】
各感光体ドラム１１Ｃ，１１Ｙ，１１Ｍの表面が帯電されると、露光制御部７３の制御により、各ＬＥＤヘッド１８Ｃ，１８Ｙ，１８Ｍが、帯電した感光体ドラム１１Ｃ，１１Ｙ，１１Ｍの表面に、画像データに基づいた静電潜像を形成する。感光体ドラム１１Ｃ，１１Ｙ，１１Ｍの表面に静電潜像が形成されると、各供給ローラ１４に保持された各カラートナー１７Ｃ，１７Ｙ，１７Ｍが各現像ローラ１３の表面に供給される。各現像ローラ１３の表面の各カラートナー１７Ｃ，１７Ｙ，１７Ｍは、各層形成ブレード１５を通過すると、これらの各層形成ブレード１５のせん断力により、層厚が規制され均一になる。それぞれ均一に規制された各カラートナー１７Ｃ，１７Ｙ，１７Ｍが付着した各現像ローラ１３の表面と、各感光体ドラム１１Ｃ，１１Ｙ，１１Ｍの表面とが接触すると、各感光体ドラム１１Ｃ，１１Ｙ，１１Ｍ上の静電潜像に各カラートナー画像４７Ｃ，４７Ｙ，４７Ｍがそれぞれ現像される。
【００７１】
一方、モータ制御部７５の制御により、駆動モータ７５ａが駆動されて駆動ローラ２２が回転すると、従動ローラ２３が連れ回り、転写ベルト２１が回転移動する。そして、用紙カセット２内の印刷媒体３である色付きの普通紙３ａは、給紙ローラ４により搬送方向ｙへ給紙された後、搬送ローラユニット５により挟まれ、位置センサ制御部７９により制御される位置検出センサ６により、色付きの普通紙３ａの先頭位置が検出される。その後、色付きの普通紙３ａは、吸着ローラ７と駆動ローラ２２に挟まれ、転写ベルト２１に吸着し、この転写ベルト２１によって画像形成領域ＰＦ中を搬送される。各感光体ドラム１１Ｃ，１１Ｙ，１１Ｗの表面の各カラートナー画像４７Ｃ，４７Ｙ，４７Ｍは、電源部１００から高電圧が印加されている各転写ローラ２４Ｃ，２４Ｙ，２４Ｍによって転写紙３ｂに転写され、ステップＳ１５へ進む。
【００７２】
ステップＳ１５において、加熱ローラ制御部７７の制御により、定着ユニット３０内の加熱ローラ３１は、ＲＯＭ６５内の温度テーブル６５ｅにより設定された温度（例えば、１６０°Ｃ）に加熱されている。そのため、カラートナー画像４７ＦＣが転写された色付きの普通紙３ａは、加熱された加熱ローラ３１と、これと対向して配設された加圧ローラ３２と、の間に挟まれて搬送されるので、色付きの普通紙３ａ上のカラートナー画像４７ＦＣが、加熱ローラ３１と加圧ローラ３２とにより加熱、加圧され、その色付きの普通紙３ａに対してカラートナー画像４７ＦＣの２回目の定着が行われる。その後、ステップＳ１６において、定着処理された色付きの普通紙３ａは、排出ローラユニット３４により、排出口から排出されて排出カセット３５へ搬送され、色付きの普通紙３ａへの印刷動作が終了する。
【００７３】
以上のように、本実施例１において、ユーザは、従来技術と比較して、Ｗ画像形成部１０Ｗを入れ替えることをしないので、図６（ａ）、（ｂ）に示すように、Ｗトナー画像４７Ｗをカラートナー画像４７ＦＣの上又は下に印刷することができるようになった。その上、色付きの普通紙３ａと転写紙３ｂの両方にＷトナー画像４７Ｗを印刷できるので、コストの高い転写紙３ｂを印刷する前に、同系色の色付きの普通紙３ａに印刷して、画像を確認することができるため、失敗することがなくなり、コスト削減につながる。
【００７４】
（実施例１の効果）
本実施例１によれば、次の（ａ）、（ｂ）のような効果がある。
【００７５】
（ａ）  ユーザが複数の画像形成部１０Ｃ，１０Ｙ，１０Ｍ，１０Ｗの入れ替えを行うことなく、色付きの普通紙３ａや転写紙３ｂの両方に印刷することができ、効率良く作業することができる。
【００７６】
例えば、Ｔシャツの上にトナー画像を転写するための転写紙（これは、Ｔシャツ転写紙、アイロン転写紙、あるいはアイロンプリント紙とも言われている。）が知られている。従来の画像形成装置では、転写紙を用いてＴシャツにトナー画像を転写した場合に、そのトナー画像の下地としてＷトナー画像を最後に転写紙に印刷するため、Ｗトナーの感光体ドラムを、転写紙の搬送方向の最下流に配置する必要がある。しかし、本実施例１の画像形成装置１では、画像形成部１０Ｃ，１０Ｙ，１０Ｍ，１０Ｗの入れ替えを行うことなく、転写紙に印刷することができ、効率良く作業することができる。
【００７７】
（ｂ）  複数の画像形成部１０Ｃ，１０Ｙ，１０Ｍ，１０Ｗを転写ベルト２１から選択的に離接するため、無駄な空回しや、無駄な転写工程がなくなるので、複数の画像形成部１０Ｃ，１０Ｙ，１０Ｍ，１０Ｗを入れ替えた時と同様な画像を得え、長寿命化することが可能となる。
【実施例２】
【００７８】
（実施例２の構成）
図８は、本発明の実施例２における画像形成装置の要部である複数の画像形成部及び転写ユニットを示す概略の構成図であり、実施例１の画像形成装置１を示す図１中の要素と共通の要素には共通の符号が付されている。
【００７９】
実施例１の画像形成装置１では、４色の画像形成部１０（＝１０Ｃ，１０Ｙ，１０Ｍ，１０Ｗ）の配置状態が、印刷媒体搬送方向の上流側から下流側に向かって、Ｃ画像形成部１０Ｃ、Ｙ画像形成部１０Ｙ、Ｍ画像形成部１０Ｍ、及びＷ画像形成部１０Ｗになっている。このような配置状態に代えて、本実施例２の画像形成装置１Ａでは、媒体搬送方向の最上流側にＷ画像形成部１０Ｗが配置され、この下流側に、Ｙ画像形成部１０Ｙ、Ｍ画像形成部１０Ｍ、及びＣ画像形成部１０Ｃが配置されている。
【００８０】
これに対応して、図３中のＲＯＭ６５には、印刷媒体３が色付きの普通紙３ａの場合、画像形成部１０Ｗ，１０Ｙ，１０Ｍ，１０Ｃと転写ユニット２０とを離間しないで印刷して、転写紙３ｂの場合に、画像形成部１０Ｗ，１０Ｙ，１０Ｍ，１０Ｃと転写ユニット２０とを離間して印刷を行うような印刷動作のプログラム６５ａ−１が格納されている。その他の構成は、実施例１と同様である。
【００８１】
（実施例２の動作）
図９は、図８の画像形成装置１Ａにおける印刷動作を示すフローチャートである。
【００８２】
本実施例２の印刷動作は、実施例１の印刷動作に対して４色のＷ，Ｙ，Ｍ，Ｃの印刷の順序が異なるだけであるから、以下簡単に、図９のフローチャートの動作手順を説明する。
【００８３】
図９のフローチャートにおいて、印刷動作が開始され、ステップＳ２１において、画像形成装置１Ａに電源が投入されると、図３中のＣＰＵ６７は、ＲＯＭ６５内の印刷動作のプログラム６５ａ−１を読み出してこのプログラム６５ａ−１に従った制御信号を印刷制御部６２に与える。印刷制御部６２は、ＣＰＵ６７から与えられる制御信号に基づき、画像形成装置１Ａの全体を制御して図９のフローチャートの各ステップＳ２２〜Ｓ３６の処理を実行する。
【００８４】
ステップＳ２２において、図３中の印刷制御部６２により制御される離接制御部７８は、離接機構５０の動作を制御して全ての画像形成部１０Ｗ，１０Ｙ，１０Ｍ，１０Ｃを転写ベルト２１に接触させ、ステップＳ２３へ進む。ステップＳ２３において、ユーザに対して図４の印刷モード設定画面６５ｂを提示して印刷モードＭＤの入力を促す。ユーザが、印刷媒体３として色付きの普通紙３ａ又は転写紙３ｂのいずれか一方を選択すると、図５の印刷媒体／印刷モード対応テーブル６５ｃに基づき、印刷媒体３が「転写紙」で、印刷モードＭＤが「Ｗトナー画像をカラートナー画像の上に印刷」か、又は、印刷媒体３が「色付きの普通紙」で、印刷モードＭＤが「Ｗトナー画像をカラートナー画像の下に印刷」か、のいずれか一方が入力され、ステップＳ２４へ進む。
【００８５】
ステップＳ２４において、図３中の印刷制御部６２は、前記入力された情報に基づき、図６（ａ）、（ｂ）に示すように、Ｗトナー画像４７Ｗをカラー（Ｙ，Ｍ，Ｃ）トナー画像４７ＦＣの上に転写するか否かの判定を行う。印刷制御部６２は、ユーザにより入力された情報が、転写紙３ｂへの印刷の場合は（ＹＥＳ）、ステップＳ２５へ進み、ユーザにより入力された情報が、色付きの普通紙３ａへの印刷の場合は（ＮＯ）、ステップＳ３４へ進む。
【００８６】
ステップＳ２５へ進んだ場合、図３中の離接制御部７８の制御により、離接機構５０が動作して、Ｗ画像形成部１０Ｗが転写ベルト２１から離間し、ステップＳ２６へ進む。ステップＳ２６において、図３中の印刷制御部６２の制御により、Ｙ，Ｍ，Ｃ画像形成部１０Ｙ，１０Ｍ，１０Ｃが動作して、カラー（Ｙ，Ｍ，Ｃ）トナー画像４７ＦＣが印刷媒体３である転写紙３ｂ上に転写され、ステップＳ２７へ進む。ステップＳ２７において、図１中の定着ユニット３０により、転写紙３ｂ上に転写されたカラートナー画像４７ＦＣに対する１回目の定着が行われ、ステップＳ２８へ進む。
【００８７】
ステップＳ２８において、定着後の転写紙３ｂが、図１中のセパレータ３３により、再給紙ユニット４０へ振り分けられる。振り分けられた転写紙３ｂは、再給紙ユニット４０内の搬送ローラ対４１及び再給紙経路４２を経由して、搬送ローラユニット５へループし、ステップＳ２９へ進む。ステップＳ２９において、離接制御部７８の制御により離接機構５０が動作して、Ｗ画像形成部１０Ｗが転写ベルト２１に接触し、更に、ステップＳ３０において、離接制御部７８の制御により離接機構５０が動作して、Ｙ，Ｍ，Ｃ画像形成部１０Ｙ，１０Ｍ，１０Ｃが転送ベルト２１から離間し、ステップＳ３１へ進む。
【００８８】
ステップＳ３１において、図３中の印刷制御部６２の制御により、Ｗ画像形成部１０Ｗが動作し、図６（ｂ）に示すように、転写紙３ｂ上のカラートナー画像４７ＦＣの上に、Ｗトナー画像４７Ｗが転写され、ステップＳ３２へ進む。ステップＳ３２において、図１中の定着ユニット３０により、転写紙３ｂのカラートナー画像４７ＦＣ上に転写されたＷトナー画像４７Ｗに対する２回目の定着が行われ、ステップＳ３３へ進む。ステップＳ３３において、転写が終了した転写紙３ｂは、図１中の排出ローラユニット３４を経由して、排出カセット３５へ排出され、転写紙３ｂへの印刷動作が終了する。
【００８９】
前記ステップＳ２４において、図６（ａ）に示すように、色付きの普通紙３ａへの印刷と判定された場合は（ＮＯ）、ステップＳ３４へ進む。ステップＳ３４において、図３中の印刷制御部６２の制御により、Ｗ画像形成部１０Ｗが動作し、色付きの普通紙３ａへＷトナー画像が転写され、ステップＳ３５へ進む。ステップＳ３５において、図３中の印刷制御部６２の制御により、Ｙ，Ｍ，Ｃ画像形成部１０Ｙ，１０Ｍ，１０Ｃが動作し、前記Ｗトナー画像４７Ｗ上に、カラー（Ｙ，Ｍ，Ｃ）トナー画像４７ＦＣが転写され、ステップ３６へ進む。
【００９０】
ステップＳ３６において、図１中の定着ユニット３０により、色付きの普通紙３ａ上に転写されたＷトナー画像４７Ｗ及びカラートナー画像４７ＦＣに対する１回目の定着が行われ、ステップＳ３３へ進む。ステップＳ３３において、転写が終了した色付きの普通紙３ａは、図１中の排出ローラユニット３４を経由して、排出カセット３５へ排出され、色付きの普通紙３ａへの印刷が終了する。
【００９１】
（図８の変形例１〜５）
図１０、図１１、図１２、図１３、図１４は、それぞれ図８の変形例１、２、３、４、５であって画像形成装置１Ａの要部である複数の画像形成部及び転写ユニットを示す概略の構成図であり、図８中の要素と共通の要素には共通の符号が付されている。
【００９２】
図１０に示す変形例１では、図８に示す４色の画像形成部１０Ｗ，１０Ｙ，１０Ｍ，１０Ｃに対して、第１画像形成部としてのＫ画像形成部１０Ｋが追加されている。これらの５色の画像形成部１０（＝１０Ｋ，１０Ｙ，１０Ｍ，１０Ｃ，１０Ｗ）は、印刷媒体搬送方向の上流側から下流側に向かって、最上流にＫ画像形成部１０Ｋが配置され、更に、この下流側に、Ｙ画像形成部１０Ｙ、Ｍ画像形成部１０Ｍ、Ｃ画像形成部１０Ｃ、及びＷ画像形成部１０Ｗが順に配置されている。
【００９３】
図１１に示す変形例２では、図８中のＷ画像形成部１０Ｗに代えて、光沢度を調整する透明（以下「Ｔ」という。）トナーの画像を形成する第２画像形成部としてのＴ画像形成部１０Ｔが設けられている。４色の画像形成部１０（＝１０Ｔ，１０Ｙ，１０Ｍ，１０Ｃ）は、印刷媒体搬送方向の上流側から下流側に向かって、Ｃ画像形成部１０Ｃ、Ｙ画像形成部１０Ｙ、及びＭ画像形成部１０Ｍが順に配置され、最下流側に、Ｔ画像形成部１０Ｔが配置されている。
【００９４】
図１２に示す変形例３では、図１１と同様に、４色の画像形成部１０（＝１０Ｔ，１０Ｙ，１０Ｍ，１０Ｃ）を有しているが、これらの配置状態が図１１と異なる。この変形例３では、印刷媒体搬送方向の上流側から下流側に向かって、最上流側にＴ画像形成部１０Ｔが配置され、この下流側に、Ｙ画像形成部１０Ｙ、Ｍ画像形成部１０Ｍ、及びＣ画像形成部１０Ｃが順に配置されている。
【００９５】
図１３に示す変形例４では、図８に示す４色の画像形成部１０Ｗ，１０Ｙ，１０Ｍ，１０Ｃに対して、Ｔ画像形成部１０Ｔが追加されている。これらの５色の画像形成部１０（＝１０Ｗ，１０Ｙ，１０Ｍ，１０Ｃ，１０Ｔ）は、印刷媒体搬送方向の上流側から下流側に向かって、最上流にＴ画像形成部１０Ｔが配置され、更に、この下流側に、Ｙ画像形成部１０Ｙ、Ｍ画像形成部１０Ｍ、Ｃ画像形成部１０Ｃ、及びＷ画像形成部１０Ｗが順に配置されている。
【００９６】
図１４に示す変形例４では、図１３と同様に、５色の画像形成部１０（＝１０Ｗ，１０Ｙ，１０Ｍ，１０Ｃ，１０Ｔ）を有しているが、これらの配置状態が図１３と異なる。この変形例４では、印刷媒体搬送方向の上流側から下流側に向かって、Ｗ画像形成部１０Ｗ、Ｙ画像形成部１０Ｙ、Ｍ画像形成部１０Ｍ、及びＣ画像形成部１０Ｃが順に配置され、更に、この最下流側に、Ｔ画像形成部１０Ｔが配置されている。
【００９７】
このような変形例１〜５に示す複数の画像形成部１０の配置状態であっても、図８と略同様の動作を行うことができる。
【００９８】
図１５は、実施例１、２及び変形例１〜５の画像形成装置１，１Ａにおいて、印刷媒体搬送方向の最上流側もしくは最下流側にＴ画像形成部１０ＴもしくはＷ画像形成部１０Ｗを配置した場合の、転写ベルト２１との離間と転写時の関係の一覧を示す図である。
【００９９】
図１５において、上矢印↑は転写ベルト２１からの離間、下矢印↓は転写ベルト２１との接触を示す。
【０１００】
例えば、実施例２において、Ｗトナー画像４７Ｗをカラー（Ｙ，Ｍ，Ｃ）トナー画像４７ＦＣの下に印刷する場合、Ｗ画像形成部１０Ｗ、Ｙ画像形成部１０Ｙ、Ｍ画像形成部１０Ｍ、及びＣ画像形成部１０Ｃを転写ベルト２１に接触させ、各色Ｗ，Ｙ，Ｍ，Ｃを１回で転写させて１度の定着で完了する。又、Ｗトナー画像４７Ｗをカラートナー画像４７ＦＣの上に印刷する場合、Ｗ画像形成部１０Ｗを転写ベルト２１から離間させ、Ｙ，Ｍ，Ｃ画像形成部１０Ｙ，１０Ｍ，１０Ｃを転写ベルト２１に接触させて、カラートナー画像４７ＦＣのみ印刷媒体３に転写及び定着し、定着後の印刷媒体３をループさせた後、今度はＷ画像形成部１０Ｗを転写ベルト２１に接触させ、Ｙ，Ｍ，Ｃ画像形成部１０Ｙ，１０Ｍ，１０Ｃを転写ベルト２１から離間させて、Ｗトナー画像４７Ｗのみを転写及び定着させてカラートナー画像４７ＦＣの上にＷトナー画像４７Ｗを印刷させる。
【０１０１】
（実施例２及び変形例１〜５の効果）
本実施例２及び変形例１〜５によれば、実施例１と略同様の効果がある。
【実施例３】
【０１０２】
（実施例３の構成）
図１６は、本発明の実施例３の画像形成装置における印刷モード設定画面６５Ｂの例を示す図であり、実施例１の印刷モード設定画面６５ｂを示す図４中の要素と共通の要素には共通の符号が付されている。
【０１０３】
本実施例３の画像形成装置１Ｂにおける印刷モード設定画面６５Ｂは、実施例１の印刷モード設定画面６５ｂに対して、Ｗ色の濃度を濃くするボタン６５ｂ−４が追加されている。この印刷モード設定画面６５Ｂは、実施例１の印刷モード設定画面６５ｂに代えて、図３中のＲＯＭ６５に格納される。更に、実施例１とは異なる印刷動作のプログラム６５ａ−２が、そのＲＯＭ６５に格納されている。その他の画像形成装置１Ｂの構成は、実施例１の図１〜図３と同様である。
【０１０４】
（実施例３の動作）
図１７は、実施例３の画像形成装置１Ｂにおける印刷動作を示すフローチャートである。
【０１０５】
図１７のフローチャートにおいて、印刷動作が開始され、ステップＳ４１において、画像形成装置１Ｂに電源が投入されると、図３中のＣＰＵ６７は、ＲＯＭ６５内の印刷動作のプログラム６５ａ−２を読み出してこのプログラム６５ａ−２に従った制御信号を印刷制御部６２に与える。印刷制御部６２は、ＣＰＵ６７から与えられる制御信号に基づき、画像形成装置１Ｂの全体を制御して図１７のフローチャートの各ステップＳ４２〜Ｓ７６の処理を実行する。
【０１０６】
ステップＳ４２において、図３中の印刷制御部６２により制御される離接制御部７８は、Ｃ，Ｙ，Ｍ，Ｗ画像形成部１０Ｃ，１０Ｙ，１０Ｍ，１０Ｗを転写ベルト２１に接触させ、ステップＳ４３へ進む。ステップＳ４３において、ユーザが図３中の上位装置１０１を操作し、インタフェイス６１及び印刷制御部６２を経由し、ＣＰＵ６７を介して、ＲＯＭ６５より、図１６の印刷モード設定画面６５Ｂを呼び出し、上位装置１０１の表示部に表示させる。上位装置１０１は、ユーザに対して印刷モードＭＤの入力を促す。ユーザは、上位装置１０１の表示部に表示された印刷モード設定画面６５Ｂを操作し、例えば、印刷媒体リスト６５ｂ−１から転写紙３ｂを選択し、且つ、Ｗ色の濃度を濃くするボタン６５ｂ−４にチェックを入れ、ＯＫボタン６５ｂ−２を押すと、この入力情報がインタフェイス６１を経由して印刷制御部６２へ送られ、ステップＳ４４へ進む。
【０１０７】
ステップＳ４４において、印刷制御部６２は、Ｗトナー画像４７Ｗの濃度を濃くするか否かを判定し、前記の印刷モード設定画面６５Ｂにて、Ｗ色の濃度を濃くするボタン６５ｂ−４にチェックが入れられているので（ＹＥＳ）、ステップＳ４５へ進む。前記の印刷モード設定画面６５Ｂにて、Ｗ色の濃度を濃くするボタン６５ｂ−４にチェックが入れられていない場合は（ＮＯ）、ステップＳ６３へ進む。
【０１０８】
ステップＳ４５において、印刷制御部６２は、ＣＰＵ６７を介してＲＯＭ６５より、図５の印刷媒体／印刷モード対応テーブル６５ｃを呼び出し、Ｗトナー画像４７Ｗをカラー（Ｃ，Ｙ，Ｍ）トナー画像４７ＦＣの上に転写するか否かを判定する。前記で転写紙３ｂが選択されているので、印刷モードＭＤが「Ｗトナー画像をカラートナー画像の上に印刷」となり（ＹＥＳ）、ステップＳ４６へ進む。前記で色付きの普通紙３ａが選択されている場合は（ＮＯ）、実施例１に対して追加されたステップＳ５２，Ｓ５３，Ｓ５４の処理へ進む。
【０１０９】
ステップＳ４６において、印刷制御部６２は、図１中のＣ，Ｙ，Ｍ画像形成部１０Ｃ，１０Ｙ，１０Ｍを制御して、図６（ｂ）に示すように、転写紙３ｂ上にカラー（Ｃ，Ｙ，Ｍ）トナー画像４７ＦＣを転写させ、ステップＳ４７へ進む。ステップＳ４７において、印刷制御部６２は、図１中のＷ画像形成部１０Ｗを制御して、カラートナー画像４７ＦＣ上にＷトナー画像４７Ｗを転写させ、ステップＳ４８へ進む。ステップＳ４８において、印刷制御部６２は、定着ユニット３０を制御して、転写紙３ｂ上に転写されたカラートナー画像４７ＦＣ及びＷトナー画像４７Ｗに対する１回目の定着を行わせ、実施例１に対して追加されたステップＳ４９，Ｓ５０，Ｓ５１の処理へ進む。
【０１１０】
ステップＳ４９において、１回目の定着が行われた転写紙３ｂは、図１中のセパレータ３３にて再給紙ユニット４０へ振り分けられて、搬送ローラユニット５へループし、ステップＳ５０へ進む。ステップＳ５０において、図３中の離接制御部７８は、離接機構５０の動作を制御して、Ｃ，Ｙ，Ｍ画像形成部１０Ｃ，１０Ｙ，１０Ｍを転写ベルト２１から離間させる。そして、印刷制御部６２は、Ｗ画像形成部１０Ｗを制御して、転写紙３ｂ上の定着済のＷトナー画像４７Ｗの上に、再度、Ｗトナー画像４７Ｗを転写させて、Ｗトナー画像４７Ｗの濃度を濃くする処理を行い、ステップＳ５１へ進む。ステップＳ５１において、印刷制御部６２は、定着ユニット３０を制御して、転写紙３ｂ上に再度転写されたＷトナー画像４７Ｗに対する２回目の定着を行わせ、ステップＳ６３の排出処理へ進む。
【０１１１】
前記ステップＳ４５において、色付きの普通紙３ａが選択されている場合は（ＮＯ）、実施例１に対して追加されたステップＳ５２，Ｓ５３，Ｓ５４の処理へ進む。このステップＳ５２において、図３中の離接制御部７８は、画像形成装置１Ｂの動作を制御して、Ｃ，Ｙ，Ｍ画像形成部１０Ｃ，１０Ｙ，１０Ｍを転写ベルト２１から離間させる。そして、印刷制御部６２は、Ｗ画像形成部１０Ｗを制御して、図６（ａ）に示すように、色付きの普通紙３ａ上にＷトナー画像４７Ｗを転写させ、ステップＳ５３へ進む。ステップＳ５３において、印刷制御部６２は、図１中の定着ユニット３０を制御して、色付きの普通紙３ａ上に転写されたＷトナー画像４７Ｗに対する１回目の定着を行わせ、実施例１と同様のステップＳ５５〜Ｓ６２へ進む。
【０１１２】
ステップＳ５５において、１回目の定着が行われた色付きの普通紙３ａは、図１中のセパレータ３３にて再給紙ユニット４０へ振り分けられて、搬送ローラユニット５へループし、ステップＳ５６へ進む。ステップＳ５６において、Ｗ画像形成部１０Ｗは、色付きの普通紙３ａ上の定着済のＷトナー画像４７Ｗの上に、再度、Ｗトナー画像４７Ｗを転写し、Ｗトナー画像４７Ｗの濃度を濃くする処理を行い、ステップＳ５７へ進む。ステップＳ５７において、図１中の定着ユニット３０は、色付きの普通紙３ａ上に再度転写されたＷトナー画像４７Ｗに対する２回目の定着を行い、ステップＳ５８へ進む。ステップＳ５８において、２回目の定着済の色付きの普通紙３ａは、セパレータ３３及び再給紙ユニット４０によって搬送ローラユニット５へループされ、ステップＳ５９へ進む。
【０１１３】
ステップＳ５９において、離接機構５０により、Ｃ，Ｙ，Ｍ画像形成部１０Ｃ，１０Ｙ，１０Ｍが転写ベルト２１に接触し、ステップＳ６１において、離接機構５０により、Ｗ画像形成部１０Ｗが転写ベルト２１から離間し、ステップＳ６１へ進む。ステップＳ６１において、図６（ａ）に示すように、Ｃ，Ｙ，Ｍ画像形成部１０Ｃ，１０Ｙ，１０Ｍにより、色付きの普通紙３ａ上の定着済のＷトナー画像４７Ｗの上に、カラー（Ｃ，Ｙ，Ｍ）トナー画像４７ＦＣの転写が行われ、ステップＳ６２において、定着ユニット３０により、３回目の定着が行われ、ステップＳ６３の排出処理へ進む。
【０１１４】
前記ステップＳ４４において、Ｗトナー画像４７Ｗの濃度を濃くしない場合は（ＮＯ）、実施例１の図７のステップＳ４〜Ｓ１５の処理と同様のステップＳ６４〜Ｓ７６の処理が行われる。
【０１１５】
（実施例３の効果）
本実施例３によれば、次の（１）、（２）のような効果がある。
【０１１６】
（１）  図１８は、実施例１、２及び変形例１〜５と実施例３との実験結果を示す図である。
【０１１７】
図１８において、横軸は転写回数、縦軸は明度Ｌ＊である。符号１１０は、転写回数１回の実施例１、２及び変形例１〜５の実験結果であり、符号１１１は、転写回数２回の実施例３の実験結果である。明度Ｌ＊の濃度値は、Ｘ−Ｒｉｔｅ社の５３０分光濃度計を用いて測定し、ここでの目標濃度値は面積率１００％のべた画像濃度としている。
【０１１８】
本実施例３では、実施例１と異なり、図１６の印刷モード設定画面６５Ｂにおいて、Ｗ色の濃度を濃くするボタン６５ｂ−４にチェックが入れられると、印刷媒体３が転写紙３ｂの場合、図１７のステップＳ４９〜Ｓ５１に、色付きの普通紙３ａの場合、図１７のステップＳ５２〜Ｓ５４に、それぞれＷトナー画像４７Ｗを転写、定着する処理が追加されている。そのため、Ｗトナー画像４７Ｗの転写、定着回数を実施例１、２及び変形例１〜５の１回から、実施例３の２回に増加させると、明度Ｌ＊の値が、実施例１、２及び変形例１〜５の実験結果１１０である７５から、実施例３の実験結果１１１である８５に増加している。
【０１１９】
（２）  前記（１）で説明したように、実施例３では、Ｗトナー画像４７Ｗを２回印刷しているので、濃度が濃くなり、裏地の影響を受けなくなり、高画質化が可能になる。
【０１２０】
（実施例１、２、変形例１〜５及び実施例３のその他の変形例）
本発明は、上記実施例や変形例に限定されず、その他の利用形態や変形が可能である。この利用形態や変形例としては、例えば、次の（ａ）、（ｂ）のようなものがある。
【０１２１】
（ａ）  図１の画像形成装置１、図２−１〜図２−３の離接機構５０、及び、図３のブロックは、図示以外の構成に変更しても良い。例えば、図３の画像形成装置１において、ＲＯＭ６５内のモータテーブル６５ｄや温度テーブル６５ｅは、他の箇所に設けても良い。又、ＣＰＵ６７は、印刷制御部６２内に設けて、回路構成を簡素化しても良い。
【０１２２】
（ｂ）  上記実施例１〜３や変形例１〜５では、タンデム方式の画像形成装置１，１Ａ，１Ｂについて説明したが、本発明は、静電潜像担持体である感光体ドラムが１つである４サイクル方式や、中間転写ベルト方式の画像形成装置でも適用が可能である。又、本発明は、プリンタ以外の複合機（ＭＦＰ）、ファクシミリ装置、及び複写機等にも適用が可能である。
【符号の説明】
【０１２３】
１，１Ａ，１Ｂ      画像形成装置
３      印刷媒体
３ａ      普通紙
３ｂ      転写紙
１０，１０Ｃ，１０Ｙ，１０Ｍ，１０Ｋ，１０Ｗ，１０Ｔ      画像形成部
１１，１１Ｃ，１１Ｙ，１１Ｍ，１１Ｋ，１１Ｗ，１１Ｔ      感光体ドラム
１２      帯電ローラ
１３      現像ローラ
１４      供給ローラ
１５      層形成ブレード
１６      トナータンク
１７，１７Ｃ，１７Ｙ，１７Ｍ，１７Ｗ      トナー
１８，１８Ｃ，１８Ｙ，１８Ｍ，１８Ｗ      ＬＥＤヘッド
２０      転写ユニット
２１      転写ベルト
２４，２４Ｃ，２４Ｙ，２４Ｍ，２４Ｗ      転写ローラ
３０      定着ユニット
３１      加熱ローラ
３２      加圧ローラ
３３      セパレータ
４０      再給紙ユニット
５０      離接機構
６２      印刷制御部
６５      ＲＯＭ
６５ａ，６５ａ−１，６５ａ−２      印刷動作のプログラム
６５ｂ，６５Ｂ      印刷モード設定画面
６５ｃ    印刷媒体／印刷モード対応テーブル
６７      ＣＰＵ
【図１】
2014095784.tif 000003
【図２−１】
2014095784.tif 000004
【図２−２】
2014095784.tif 000005
【図２−３】
2014095784.tif 000006
【図３】
2014095784.tif 000007
【図４】
2014095784.tif 000008
【図５】
2014095784.tif 000009
【図６】
2014095784.tif 000010
【図７】
2014095784.tif 000011
【図８】
2014095784.tif 000012
【図９】
2014095784.tif 000013
【図１０】
2014095784.tif 000014
【図１１】
2014095784.tif 000015
【図１２】
2014095784.tif 000016
【図１３】
2014095784.tif 000017
【図１４】
2014095784.tif 000018
【図１５】
2014095784.tif 000019
【図１６】
2014095784.tif 000020
【図１７】
2014095784.tif 000021
【図１８】
2014095784.tif 000022